(57)【特許請求の範囲】
【請求項１】
複数のかごの各々に設けられた複数のかご内通信機器と、
乗場に到着したかごのかご内通信機器が無線通信により携帯端末から識別情報を受信した際に当該かごが当該識別情報に対応した携帯端末からの入力に基づいて呼びが割り当てられたかごでない場合に、当該かごのかご内通信機器にかごの乗り間違いを示す情報を無線通信により当該携帯端末に向けて送信させる群管理装置と、
を備えたエレベーターシステム。
【請求項２】
前記群管理装置は、乗場に到着したかごのかご内通信機器が無線通信により携帯端末から識別情報を受信した際に当該かごが当該識別情報に対応した携帯端末からの入力に基づいて当該乗場の呼びが割り当てられたかごでない場合に、当該かごのかご内通信機器に当該識別情報に対応した携帯端末からの入力に基づいて当該呼びが割り当てられたかごを示す情報を無線通信により当該携帯端末に向けて送信させる請求項１に記載のエレベーターシステム。
【請求項３】
前記群管理装置は、携帯端末から入力された行先階に基づいて呼びを割り当てるかごを決定する請求項１または請求項２に記載のエレベーターシステム。
【請求項４】
前記群管理装置は、携帯端末から入力されたテーマに基づいて呼びを割り当てるかごを決定する請求項１または請求項２に記載のエレベーターシステム。
【発明の詳細な説明】
【技術分野】
【０００１】
この発明は、エレベーターシステムに関する。
【背景技術】
【０００２】
例えば、特許文献１は、エレベーターシステムを開示する。当該エレベーターシステムにおいて、かごの乗り間違いが発生した場合、報知装置は、かごの乗り間違いを示す情報を音声で報知する。
【先行技術文献】
【特許文献】
【０００３】
【特許文献１】日本特開２０１２−１７１７４１号公報
【特許文献２】日本特開２０１３−０６０２７４号公報
【特許文献３】日本特開２０１２−１１１５６８号公報
【特許文献４】国際公開第２０１２／１４７１５９号
【発明の概要】
【発明が解決しようとする課題】
【０００４】
しかしながら、特許文献１に記載のエレベーターシステムにおいて、かごの乗り間違いを示す情報は、他の利用者に対しても報知される。このため、かごを乗り間違えた利用者に対し、プライバシーを保護することができない。【０００５】
この発明は、上述の課題を解決するためになされた。この発明の目的は、利用者のプライバシーを保護することができるエレベーターシステムを提供することである。
【課題を解決するための手段】
【０００６】
この発明に係るエレベーターシステムは、複数のかごの各々に設けられた複数のかご内通信機器と、乗場に到着したかごのかご内通信機器が無線通信により携帯端末から識別情報を受信した際に当該かごが当該識別情報に対応した携帯端末からの入力に基づいて呼びが割り当てられたかごでない場合に、当該かごのかご内通信機器にかごの乗り間違いを示す情報を無線通信により当該携帯端末に向けて送信させる群管理装置と、を備えた。
【発明の効果】
【０００７】
この発明によれば、群管理装置は、かご内通信機器にかごの乗り間違いを示す情報を無線通信により携帯端末に向けて送信させる。このため、当該情報は、対象の利用者に向けて報知される。その結果、利用者のプライバシーを保護することができる。
【図面の簡単な説明】
【０００８】
【図１】この発明の実態の形態１におけるエレベーターシステムの構成図である。
【図２】この発明の実態の形態１におけるエレベーターシステムのブロック図である。
【図３】この発明の実態の形態１におけるエレベーターシステムの群管理装置の動作の概要を説明するためのフローチャートである。
【図４】この発明の実態の形態１におけるエレベーターシステムの群管理装置５のハードウェア構成図である。
【発明を実施するための形態】
【０００９】
この発明を実施するための形態について添付の図面に従って説明する。なお、各図中、同一または相当する部分には同一の符号が付される。当該部分の重複説明は適宜に簡略化または省略する。
【００１０】
実施の形態１．
図１はこの発明の実態の形態１におけるエレベーターシステムの構成図である。
【００１１】
図１のエレベーターシステムにおいて、図示されない昇降路は、図示されない建築物の各階を貫く。図示されない複数の乗場の各々は、建築物の各階に設けられる。複数の乗場の各々は、昇降路に対向する。複数のかごは、昇降路の内部に設けられる。
【００１２】
少なくとも一つのかご外通信機器２は、複数のかご１の各々ではない個所に設けられる。例えば、複数のかご外通信機器２は、複数の乗場の各々に設けられる。複数のかご内通信機器３の各々は、複数のかご１の各々に設けられる。
【００１３】
複数の制御装置４の各々は、複数のかご１の各々に対応して設けられる。例えば、複数の制御装置４の各々は、昇降路の内部に設けられる。群管理装置５は、複数のかご１の各々に接続される。
【００１４】
携帯端末６は、利用者に携帯される。例えば、携帯端末６は、スマートフォンである。例えば、携帯端末６は、タブレットである。
【００１５】
例えば、利用者は、乗場において携帯端末６を用いて行先階を入力する。携帯端末６は、無線通信により当該乗場を示す情報と入力された行先階を示す情報と当該携帯端末６を示す識別情報とを含む乗場呼び情報を当該乗場のかご外通信機器２に向けて送信する。
【００１６】
例えば、利用者は、乗場において携帯端末６を用いてテーマを入力する。具体的には、利用者は、乗場においてデフォルトで携帯端末６に提示されたテーマを自らの好みの内装等に応じて選択する。テーマは、複数のかご１の各々に適宜設定される。例えば、テーマは、利用者の味覚以外の感覚に作用する複数の異なる内装等に対応して設定される。例えば、利用者の視覚に作用するように、照明、壁紙、床の色等が設定される。例えば、利用者の視覚に作用するように、明るいパターン、暗いパターン、花柄を示すパターン、森の中を示すパターン等が設定される。例えば、利用者の触覚に作用するように、もふもふした材質、すべすべした材質等、壁紙の材質が設定される。例えば、利用者の触覚に作用するように、もふもふした材質、すべすべした材質等、床の材質が設定される。例えば、利用者の嗅覚に作用するように、柑橘系の香り、花の香り等、香りが設定される。例えば、利用者の聴覚に作用するように、にぎやかなＢＧＭ（Ｂａｃｋｇｒｏｕｎｄ  Ｍｕｓｉｃ）、落ち着くＢＧＭ等、ＢＧＭが設定される。携帯端末６は、無線通信により当該乗場を示す情報と入力されたテーマを示す情報と当該携帯端末６を示す識別情報とを含む乗場呼び情報を当該乗場のかご外通信機器２に向けて送信する。
【００１７】
当該乗場のかご外通信機器２は、シリアル通信により乗場呼び情報を群管理装置５に送信する。群管理装置５は、当該乗場呼び情報に基づいて当該行先階に対応した呼びを割り当てるかご１を割当かごとして決定する。群管理装置５は、割当かごに対応した制御装置４に当該行先階に対応した呼びを登録させる。当該かご１に対応した制御装置４は、当該呼びに基づいてかご１の走行を制御する。
【００１８】
利用者は、当該乗場に到着したかご１に乗り込む。当該かご１のかご内通信機器３は、無線通信により携帯端末６から識別情報を受信する。当該かご１のかご内通信機器３は、シリアル通信により対応した制御装置４に当該識別情報を送信する。対応した制御装置４は、シリアル通信により群管理装置５に当該識別情報を送信する。
【００１９】
群管理装置５は、当該かご１が当該識別情報に対応した携帯端末６からの入力に基づいた割当かごでない場合にシリアル通信によりかご１の乗り間違いを示す情報と割当かごの情報とのうちの少なくとも一つを含む報知情報を対応した制御装置４に送信する。対応した制御装置４は、シリアル通信により報知情報を当該かご１のかご内通信機器３に送信する。当該かご１のかご内通信機器３は、無線通信により報知情報を当該携帯端末６に向けて送信する。
【００２０】
例えば、当該携帯端末６は、報知情報に基づいてかご１の乗り間違いを示す情報を報知する。例えば、当該携帯端末６は、報知情報に基づいて割当かごを示す情報を報知する。
【００２１】
次に、図２を用いて、群管理装置５と携帯端末６とを説明する。
図２はこの発明の実態の形態１におけるエレベーターシステムのブロック図である。
【００２２】
群管理装置５は、かご割当部５ａと記憶部５ｂと運転制御部５ｃと誤乗車判定部５ｄと報知制御部５ｅとを備える。
【００２３】
かご割当部５ａは、乗場呼び情報に基づいて割当かごを決定する。記憶部５ｂは、乗場呼び情報に含まれる識別情報と割当かごの情報とを対応付けて記憶する。運転制御部５ｃは、かご割当部５ａにより決定された割当かごに対応した制御装置４に呼びを登録させる。誤乗車判定部５ｄは、かご内通信機器３からの識別情報と記憶部５ｂに記憶された識別情報との比較結果に基づいてかご１の乗り間違いを判定する。報知制御部５ｅは、誤乗車判定部５ｄによりかご１の乗り間違いが発生したと判定された際に当該かご１に対応した制御装置４に報知情報を送信する。
【００２４】
携帯端末６は、操作部６ａと報知部６ｂとを備える。
【００２５】
操作部６ａは、外部からの操作による情報の入力を受け付ける。報知部６ｂは、かご内通信機器３からの報知情報に基づいてかご１の乗り間違いを示す情報および割当かごを示す情報の少なくとも一方を報知する。例えば、報知部６ｂは、イヤホンが携帯端末６に接続されている場合にかご１の乗り間違いを示す情報および割当かごを示す情報の少なくとも一方を音声により報知する。例えば、報知部６ｂは、イヤホンが携帯端末６に接続されていない場合にかご１の乗り間違いを示す情報および割当かごを示す情報の少なくとも一方を表示により報知する。
【００２６】
次に、図３を用いて、群管理装置５の動作の概要を説明する。
図３はこの発明の実態の形態１におけるエレベーターシステムの群管理装置の動作の概要を説明するためのフローチャートである。
【００２７】
ステップＳ１では、群管理装置５は、かご外通信機器２を介して乗場呼び情報を受信したか否かを判定する。ステップＳ１で群管理装置５がかご外通信機器２を介して乗場呼び情報を受信していない場合、群管理装置５は、ステップＳ２の動作を行う。
【００２８】
ステップＳ２では、群管理装置５は、かご内通信機器３を介して識別情報を受信したか否かを判定する。ステップＳ２で群管理装置５がかご内通信機器３を介して識別情報を受信していない場合、群管理装置５は、ステップＳ１からの動作を繰り返す。
【００２９】
ステップＳ１で群管理装置５がかご外通信機器２を介して乗場呼び情報を受信した場合、群管理装置５は、ステップＳ３の動作を行う。
【００３０】
ステップＳ３では、群管理装置５は、乗場呼び情報に基づいて割当かごを決定する。その後、群管理装置５は、ステップＳ４の動作を行う。ステップＳ４では、群管理装置５は、乗場呼び情報に含まれる識別情報と割当かごの情報とを対応付けて記憶する。その後、群管理装置５は、ステップＳ２の動作を行う。
【００３１】
ステップＳ２で群管理装置５がかご内通信機器３を介して識別情報を受信した場合、群管理装置５は、ステップＳ５の動作を行う。
【００３２】
ステップＳ５では、群管理装置５は、当該かご１が当該識別情報に対応付けられた割当かごであるか否かを判定する。ステップＳ５で当該かご１が当該識別情報に対応付けられた割当かごである場合、群管理装置５は、ステップＳ１からの動作を繰り返す。ステップＳ５で当該かご１が当該識別情報に対応付けられた割当かごでない場合、群管理装置５は、ステップＳ６の動作を行う。
【００３３】
ステップＳ６では、群管理装置５は、当該かご１の戸開時間の延長を対応した制御装置４に指示する。その後、群管理装置５は、ステップＳ７の動作を行う。ステップＳ７では、群管理装置５は、当該かご１に対応した制御装置４に報知情報を送信する。その後、群管理装置５は、ステップＳ１からの動作を繰り返す。
【００３４】
以上で説明した実施の形態１によれば、群管理装置５は、かご内通信機器３にかご１の乗り間違いを示す情報を携帯端末６に向けて送信させる。このため、当該情報は、対象の利用者に向けて報知される。その結果、利用者のプライバシーを保護することができる。
【００３５】
また、群管理装置５は、かご内通信機器３に割当かごを示す情報を携帯端末６に向けて送信させる。このため、当該情報は、対象の利用者に向けて報知される。その結果、利用者のプライバシーを保護しつつ、利用者を適切なかご１へ誘導することができる。例えば、「当該かごを出て右側２つ目のかごに乗ってください」のような具体的な情報を報知してもよい。この場合、利用者を適切なかご１へよりきめ細かく誘導することができる。
【００３６】
また、群管理装置５は、携帯端末６から入力された行先階に基づいて割当かごを決定する。このため、利用者が所望の行先階を選択した場合でも、利用者のプライバシーを保護しつつ、利用者に対してかご１の乗り間違いを報知することができる。
【００３７】
また、群管理装置５は、携帯端末６から入力されたテーマに基づいて割当かごを決定する。このため、利用者が好みのテーマを選択した場合でも、利用者のプライバシーを保護しつつ、利用者に対してかご１の乗り間違いを報知することができる。例えば、利用者が好みの内装に対応したテーマのエレベーターを選択した場合、乗り間違えた先のかご１の他の利用者に当該利用者の趣味嗜好に対応したかご１が意図せずに知られると、当該利用者のプライバシーの侵害につながる。これに対し、実施の形態１においては、かご１の乗り間違いは、当該利用者に対して個別に報知される。このため、乗り間違えた先のかご１の他の利用者に当該利用者の趣味嗜好に対応したかご１が意図せずに知られることを回避できる。その結果、当該利用者のプライバシーを確実に保護することができる。
【００３８】
なお、実施の形態１のエレベーターシステムによれば、複数の利用者が同時に同じかご１に乗り間違えた場合でも、複数の利用者の各々の携帯端末６に適切な情報が送信される。このため、複数の利用者の各々を適切なかご１へ誘導することができる。
【００３９】
また、携帯電話網を介して携帯端末６からの情報を群管理装置５に送信してもよい。この場合も、かご１の乗り間違いを示す情報および割当かごを示す情報の少なくとも一方は、対象の利用者に向けて報知される。その結果、利用者のプライバシーを保護することができる。
【００４０】
次に、図４を用いて、群管理装置５の例を説明する。
図４はこの発明の実態の形態１におけるエレベーターシステムの群管理装置のハードウェア構成図である。
【００４１】
群管理装置５の機能は、処理回路により実現し得る。例えば、処理回路は、少なくとも１つのプロセッサ７ａと少なくとも１つのメモリ７ｂとを備える。例えば、処理回路は、少なくとも１つの専用のハードウェア８を備える。
【００４２】
処理回路が少なくとも１つのプロセッサ７ａと少なくとも１つのメモリ７ｂとを備える場合、群管理装置５の機能は、ソフトウェア、ファームウェア、またはソフトウェアとファームウェアとの組み合わせで実現される。ソフトウェアおよびファームウェアの少なくとも一方は、プログラムとして記述される。ソフトウェアおよびファームウェアの少なくとも一方は、少なくとも１つのメモリ７ｂに格納される。少なくとも１つのプロセッサ７ａは、少なくとも１つのメモリ７ｂに記憶されたプログラムを読み出して実行することにより、群管理装置５の機能を実現する。少なくとも１つのプロセッサ７ａは、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰともいう。例えば、少なくとも１つのメモリ７ｂは、ＲＡＭ、ＲＯＭ、フラッシュメモリ、ＥＰＲＯＭ、ＥＥＰＲＯＭ等の、不揮発性または揮発性の半導体メモリ、磁気ディスク、フレキシブルディスク、光ディスク、コンパクトディスク、ミニディスク、ＤＶＤ等である。
【００４３】
処理回路が少なくとも１つの専用のハードウェア８を備える場合、処理回路は、例えば、単一回路、複合回路、プログラム化したプロセッサ、並列プログラム化したプロセッサ、ＡＳＩＣ、ＦＰＧＡ、またはこれらの組み合わせで実現される。例えば、群管理装置５の機能は、それぞれ処理回路で実現される。例えば、群管理装置５の機能は、まとめて処理回路で実現される。
【００４４】
群管理装置５の機能について、一部を専用のハードウェア８で実現し、他部をソフトウェアまたはファームウェアで実現してもよい。例えば、かご割当部５ａの機能については専用のハードウェア８としての処理回路で実現し、かご割当部５ａの機能以外の機能については少なくとも１つのプロセッサ７ａが少なくとも１つのメモリ７ｂに格納されたプログラムを読み出して実行することにより実現してもよい。
【００４５】
このように、処理回路は、ハードウェア８、ソフトウェア、ファームウェア、またはこれらの組み合わせで群管理装置５の各機能を実現する。
【産業上の利用可能性】
【００４６】
以上のように、この発明に係るエレベーターシステムは、利用者のプライバシーを保護するシステムに利用できる。
【符号の説明】
【００４７】
１  かご、  ２  かご外通信機器、  ３  かご内通信機器、  ４  制御装置、  ５  群管理装置、５ａ  かご割当部、  ５ｂ  記憶部、  ５ｃ  運転制御部、  ５ｄ  誤乗車判定部、  ５ｅ  報知制御部、  ６  携帯端末、  ６ａ  操作部、  ６ｂ  報知部、  ７ａ  プロセッサ、  ７ｂ  メモリ、８  ハードウェア
【図１】
0006597910.tif 000002
【図２】
0006597910.tif 000003
【図３】
0006597910.tif 000004
【図４】
0006597910.tif 000005